(57)【要約】      （修正有）【課題】最大風量が有効に各フィン間の間隙の大きな部分に吹き込み、ファンに最大の性能を発揮させ、フィンの冷却速度を高めることができる冷却装置の提供。【解決手段】中空座体内に径方向に複数のフィンが環状且つ離間配列され、且つ各フィンが中空座体の内壁より中心に向けて延伸され、各フィン間に内壁より中心に至る漸縮する間隙が形成され、中空座体の側面開口部分にファンが設置され、且つ中空座体の下表面と上表面に電子装置表面に当接する接触面と冷却面が設けられ、並びに接触面と冷却面にヒートパイプが嵌め込まれ、ヒートパイプが電子装置の発生する熱を伝導し、中空座体に均一に熱を伝え、熱を平均してフィンに伝導し、並びにファンの羽根外端が発生する風量が羽根の中心より遥かに大きくする。【選択図】図２
0003107890.tif 000002
【実用新案登録請求の範囲】
【請求項１】
中空座体を具え、該中空座体の底部に電子装置の表面に当接させられる接触面が設けられ、且つ中空座体の上方に冷却面が設けられ、並びに接触面と冷却面のあいだにヒートパイプが設立され、中空座体の側面にファンが設置された冷却装置において、
該中空座体内に径方向に複数の漸縮状のフィンが環状且つ離間配列され、各フィンは中空座体の内壁より中心に向けて延伸され、各フィン間に内壁から中心に向けて漸縮する間隙が形成され、ファンの発生する最大風量が各フィン間の間隙の大きい部分に送られ、ファンが最大の性能を発揮させられ、これによりフィンの冷却速度が増されたことを特徴とする、冷却装置。
【請求項２】
請求項１記載の冷却装置において、ヒートパイプにベースが設置され、該ベースの一側が折り曲げられて導熱部が設けられ、導熱部が中空座体の接触面に嵌め込まれ、並びに導熱部から離れたもう一側が折り曲げられて冷却部が形成され、この冷却部が中空座体の冷却面に嵌め込まれたことを特徴とする、冷却装置。
【請求項３】
請求項１記載の冷却装置において、ヒートパイプが一つ或いは一つ以上設けられたことを特徴とする、冷却装置。
【請求項４】
請求項１記載の冷却装置において、中空座体の接触面と冷却面にヒートパイプの導熱部と冷却部が嵌め込まれる嵌め溝が設けられたことを特徴とする、冷却装置。
【請求項５】
請求項１記載の冷却装置において、中空座体の側面にファンが設置され、中空座体の別側面にもファンが設置され、一側のファンで吸風し、別側のファンで外界に送風することを特徴とする、冷却装置。
【考案の詳細な説明】
【技術分野】
【０００１】
本考案は一種の冷却装置に係り、中空座体内に径方向に複数のフィンが環状且つ離間配列され、且つ各フィンが中空座体の内壁より中心に向けて延伸され、各フィン間に内壁から中心までの漸縮する間隙が形成され、ファンの発生する最大風量が有効に各フィン間の間隙の大きい部分に吹き込み、ファンに最大の性能を発揮させ、フィンの冷却速度を高めるよう形成された冷却装置に関する。
【背景技術】
【０００２】
ハイテクノロジーの勃興発展に伴い、電子装置の体積は微小化に向かい、且つ単位面積の密集度もますます高くなり、その性能は不断に増強されている。このような状況にあって、電子装置の総発熱量は年々上昇し、良好な冷却方式により電子装置の発生する熱を排除しなければ、オーバーヒートにより電子装置に電子遊離と熱応力等の現象が発生して全体の安定性が低下し、電子装置自身の寿命が短くなる。このため、いかにこのような熱を排除して電子装置の過熱を防止するかはおろそかにできない問題となっている。
【０００３】
パーソナルコンピュータは現代の社会に普及し、且つコンピュータ世代の生命サイクルはますます短くなり、ＣＰＵ淘汰率も上昇している。ＣＰＵの性能アップ、処理速度アップは、その排出する熱量の増加をもたらし、ＣＰＵの表面積にあまり大きな変化はないが、現在ＣＰＵの作業温度は摂氏９０度−９５度程度となっており、このような状況が続いて発展すると、発熱のワット数は続けて上昇し、完全な冷却装置がなければ、ＣＰＵの正常運転に厳重な影響が生じる。ゆえにいかに冷却器の冷却性能を高めるかは相当に重要な問題である。
【０００４】
しかし、上述の数々の問題を解決すべく、本件出願人は特許文献１においてヒートパイプ式冷却器のシールプラグ構造を提供している。それによると、図６に示されるように、冷却器が複数のフィンＡと底板Ｂで構成され、そのうち、フィンＡは底板Ｂの上に設けられて冷却に供され、底板Ｂは被冷却物の上に重ね置かれ、その中心に中空管状の貫通孔Ｂ１が形成されて底板Ｂにヒートパイプ構造が形成されている。この底板Ｂが被冷却物の熱を吸収した後、熱はフィンＡに直接伝導され、フィンＡにより冷却され、こうして被冷却物の熱の迅速な吸収と伝導の目的を達成している。
【０００５】
しかし、上述の周知のヒートパイプ式冷却器を使用する時、その底板Ｂの中心に中空管状の貫通孔Ｂ１が形成されてヒートパイプ構造が形成されているが、その貫通孔Ｂ１の上下空間は有限で、その液体−気体間の相変化効率が低く、有効に蒸気状態の冷却液を迅速に凝結させることができず、熱が有効に液体−気体の相変化により伝導されず、このため熱が底板Ｂに累積し、被冷却物自身の寿命を短縮する。
【０００６】
もう一つの周知の技術が図７に示され、それによると、冷却装置はファンＣとヒートシンクＤで構成され、そのうちヒートシンクＤは被冷却物の表面に設けられて冷却に供され、ファンＣがヒートシンクＤの上方に位置決めされ、且つヒートシンクＤは柱状体とされ、柱体の四周表面に外向きに螺旋平滑状の導流フィンが延伸され、被冷却物の熱が急速に螺旋平滑状の導流フィン表面に伝導されるものとされ、且つ導流フィンの回転角度はファンＣの回転風向に符合するものとされ、並びにこのような設計により熱風の排除が加速される。しかし、このような方法は使用時に、ファンＣが発生する冷風がヒートシンクＤに吹きつける時、冷風が螺旋平滑状のフィンに導流されて外向きに溢出しやすく、ヒートシンクＤの底部に送られにくく、ヒートシンクＤの底部の冷却が行なわれにくい。ゆえに周知の冷却装置には改良すべき余地があった。
【０００７】
【特許文献１】台湾実用新案公告第５０７８９２号明細書
【考案の開示】
【考案が解決しようとする課題】
【０００８】
本考案の主要な目的は、中空座体内に径方向に複数のフィンを環状且つ離間配列させ、且つ各フィンを中空座体の内壁より中心に向けて延伸し、各フィン間に内壁から中心までの漸縮する間隙を形成させ、ファンの発生する最大風量が有効に各フィン間の間隙の大きい部分に吹き込むようにし、ファンに最大の性能を発揮させ、フィンの冷却速度を高めるようにすることにある。
【０００９】
本考案の次の目的は、接触面を利用し電子装置の発生する熱を吸収し、ヒートパイプで電子装置の発生する熱を伝導し、中空座体に均一に熱を伝導し、熱を平均してフィンに伝導し、熱の中空座体の接触面における累積を防止し、並びに中空座体に各漸縮状の複数のフィンに平均して熱を伝導させ、電子装置全体の安定性を増し、且つ電子装置の寿命を増すことにある。
【課題を解決するための手段】
【００１０】
請求項１の考案は、中空座体を具え、該中空座体の底部に電子装置の表面に当接させられる接触面が設けられ、且つ中空座体の上方に冷却面が設けられ、並びに接触面と冷却面のあいだにヒートパイプが設立され、中空座体の側面にファンが設置された冷却装置において、
該中空座体内に径方向に複数の漸縮状のフィンが環状且つ離間配列され、各フィンは中空座体の内壁より中心に向けて延伸され、各フィン間に内壁から中心に向けて漸縮する間隙が形成され、ファンの発生する最大風量が各フィン間の間隙の大きい部分に送られ、ファンが最大の性能を発揮させられ、これによりフィンの冷却速度が増されたことを特徴とする、冷却装置としている。
請求項２の考案は、請求項１記載の冷却装置において、ヒートパイプにベースが設置され、該ベースの一側が折り曲げられて導熱部が設けられ、導熱部が中空座体の接触面に嵌め込まれ、並びに導熱部から離れたもう一側が折り曲げられて冷却部が形成され、この冷却部が中空座体の冷却面に嵌め込まれたことを特徴とする、冷却装置としている。
請求項３の考案は、請求項１記載の冷却装置において、ヒートパイプが一つ或いは一つ以上設けられたことを特徴とする、冷却装置としている。
請求項４の考案は、請求項１記載の冷却装置において、中空座体の接触面と冷却面にヒートパイプの導熱部と冷却部が嵌め込まれる嵌め溝が設けられたことを特徴とする、冷却装置としている。
請求項５の考案は、請求項１記載の冷却装置において、中空座体の側面にファンが設置され、中空座体の別側面にもファンが設置され、一側のファンで吸風し、別側のファンで外界に送風することを特徴とする、冷却装置としている。
【考案の効果】
【００１１】
本考案は、中空座体内に径方向に複数のフィンを環状且つ離間配列させ、且つ各フィンを中空座体の内壁より中心に向けて延伸し、各フィン間に内壁から中心までの漸縮する間隙を形成させ、ファンの発生する最大風量が有効に各フィン間の間隙の大きい部分に吹き込むようにし、ファンに最大の性能を発揮させ、フィンの冷却速度を高める。
【００１２】
本考案は、接触面を利用し電子装置の発生する熱を吸収し、ヒートパイプで電子装置の発生する熱を伝導し、中空座体に均一に熱を伝導し、熱を平均してフィンに伝導し、熱の中空座体の接触面における累積を防止し、並びに中空座体に各漸縮状の複数のフィンに平均して熱を伝導させ、電子装置全体の安定性を増し、且つ電子装置の寿命を増す。
【考案を実施するための最良の形態】
【００１３】
図１、２、３に示されるのは、本考案の立体分解図、立体外観図、及び側面断面図である。本考案の冷却装置は中空座体１とヒートパイプ２を具え、そのうち、該中空座体１内には径方向に複数の漸縮状のフィン１１が環状且つ離間配列され、各フィン１１は中空座体１の内壁１２より中心に向けて延伸され、各フィン１１間に内壁１２から中心に向けて漸縮する間隙が形成され、該中空座体１の底面に電子装置４表面に当接する接合面１３が形成され、且つ中空座体１の上方は冷却面１４とされ、並びに接触面１３と冷却面１４に嵌め溝１５が設けられている。
【００１４】
該ヒートパイプ２にはベース２１が設置され、ベース２１の一側が折り曲げられて導熱部２２が設けられ、並びに導熱部２２より離れた別側が折り曲げられて冷却部２３が形成されている。
【００１５】
上述の部品が組み合わされる時は、まずヒートパイプ２が中空座体１の接触面１３と冷却面１４に設置された嵌め溝１５内に接続され、こうして全体の組立が完成する。
【００１６】
上述の部品の組立が完成した後、導熱部２２が電子装置４表面に当接させられる。電子装置４が発熱時に、接触面１３と導熱部２２が同時に熱を急速に吸収し、並びに導熱部２２により熱が冷却液中に伝導され、冷却液が熱を受けた後に蒸気となり上昇し、熱が冷却部２３と冷却面１４に伝導された後、冷却液は熱を放出して凝結して液体となり導熱部２２に戻り、中空座体１に均一に熱を伝導し、熱を各フィン１１に均一に伝導させ、これにより熱の中空座体１の接触面１３における累積を防止し、冷却機能が加速され、電子装置４全体の安定性が高くなり、且つ電子装置４の寿命が増す。
【００１７】
図４に示されるのは本考案の実施例の使用時の立体外観図であり、図示されるように、中空座体１の一側の開口部分にファン３が設置され、ファン３の羽根外端の発生する風量は遥かに羽根の中心より大きく、ファン３の発生する最大風量が有効に各フィン１１の間の間隙の最大の部分に送られ、更に迅速に熱を排出し、ファンが最大の性能を発揮し、これによりフィンの冷却速度が増す。
【００１８】
図５に示されるのは本考案のもう一つの実施例の立体外観図である。図示されるように、中空座体１の二側開口部分にそれぞれファン３が設置さえ、これにより一側のファン３で吸風し、並びに別側のファン３で外界の送風し、フィン１１を流れる風量が増され、これにより熱気排出が強化され、全体の冷却効果が高められる。
【００１９】
ゆえに、本考案の冷却装置が従来の技術を改善した点は以下のとおりである。
１．本考案は中空座体１内に径方向に複数のフィン１１が環状且つ離間配列され、且つ各フィン１１が中空座体１の内壁１２より中心に向けて延伸され、各フィン１１間に内壁１２から中心に向けて漸縮する間隙が形成され、ファン３の発生する最大風量が有効に各フィン間の間隙の大きな部分に送られ、ファンに最大の性能を発揮させ、これによりフィンの冷却速度を高めることができる。
２．本考案は接触面を利用して電子装置の発生する熱を吸収し、並びにヒートパイプ２により冷却面１４に伝導し、中空座体１に均一に熱を伝え、これにより熱が平均してフィン１１に伝導されて熱の中空座体１の接触面１３の累積を防止でき、これにより電子装置４全体の安定性が増し、且つ電子装置４の寿命が増す。
【００２０】
総合すると、本考案の冷却装置は使用時に顕著な機能アップを有し、新規性、創作性、及び進歩性を有する。なお、以上の実施例は本考案の範囲を限定するものではなく、本考案に基づきなしうる細部の修飾或いは改変は、いずれも本考案の請求範囲に属するものとする。
【図面の簡単な説明】
【００２１】
【図１】本考案の立体分解図である。
【図２】本考案の立体外観図である。
【図３】本考案の側面断面図である。
【図４】本考案の実施例の使用時の立体外観図である。
【図５】本考案のもう一つの実施例の立体外観図である。
【図６】周知の技術の立体外観図である。
【図７】別の周知の技術の立体外観図である。
【符号の説明】
【００２２】
１  中空座体
１１  フィン                １４  冷却面
１２  内壁                  １５  嵌め溝
１３  接触面
２  ヒートパイプ
２１  ベース                ２３  冷却部
２２  導熱部
３  ファン
４  電子装置
Ａ  フィン
Ｂ  底板
Ｂ１  貫通孔
Ｃ  ファン
Ｄ  ヒートシンク
【図１】
0003107890.tif 000003
【図２】
0003107890.tif 000004
【図３】
0003107890.tif 000005
【図４】
0003107890.tif 000006
【図５】
0003107890.tif 000007
【図６】
0003107890.tif 000008
【図７】
0003107890.tif 000009